(57)【要約】【課題】エルボ或いは排水ホースを外すことなく排水トラップなどの排水口から目皿を容易に取付け取外すことができて、目皿や排水トラップの手入れや組み込みを簡便にすることが可能で、日常時の取扱作業の簡便化を図る。【解決手段】排水トラップの排水口Ａに嵌合される目皿受Ｂに着脱自在に配備した円盤状の目皿１であって、前記目皿受Ｂに嵌合される取付枠２を外周に備え、該取付枠２の内面に水流通用孔が多数ある多孔性面体３を備えると共に、該多孔性面体３の中央部に排水ホースＣを接続する略Ｌ字状等に形成したエルボ型ホースジョイントＤを差し込むエルボ接続口４を形成した目皿１において、目皿１に形成したエルボ接続口４に連通して前記エルボ型ホースジョイントＤ或いは排水ホースＣを通過しうる開口部５を設け、該開口部５に合成ゴム弾性体からなり、水流通用孔がある多孔性面体からなるシヤッタ６を開閉自在に配備した。【選択図】    図１
2008240239.tif 000002
【特許請求の範囲】
【請求項１】
排水トラップの排水口に嵌合される目皿受に着脱自在に配備した目皿であって、前記目皿受に嵌合される取付枠を外周に備え、該取付枠の内面に水流通用孔が多数ある多孔性面体を備えると共に、該多孔性面体の中央部に排水ホースを接続する略Ｌ字状等に形成したエルボ型ホースジョイントを差し込むエルボ接続口を形成した目皿において、
前記目皿に形成したエルボ接続口に連通して前記エルボ型ホースジョイン或いは排水ホースを通過しうる開口部を設け、該開口部に合成ゴム弾性体からなり、水流通用孔がある多孔性面体からなるシヤッタを開閉自在に配備したことを特徴とする排水トラップにおける目皿。
【請求項２】
請求項１記載の排水トラップにおける目皿において、前記シヤッタが熱可塑性エラストマなどの合成ゴム弾性体からなり、該シャツタの一端を自由端とし、他端を熱可塑性合成樹脂からなる前記多孔性面体の開口部の両側縁にそれぞれ一体に成形して対向配備し、シャッタを起伏自在に弾性変形して前記開口部を開閉する構成としたことを特徴とする排水トラップにおける目皿。
【請求項３】
請求項１または請求項２記載の排水トラップにおける目皿において、前記目皿に形成したエルボ接続口に連通して前記エルボ型ホースジョイン或いは排水ホースを通過しうる開口部が、略Ｕ字形の連通口からなっていて前記目皿の多孔性面体に備えられ、目皿の取付枠が、外周に凹凸部或いはネジ部からなる嵌合部を備え、該目皿を前記目皿受の嵌合部に着脱自在に嵌合或いはねじ込み装備して目皿受上に載置したことを特徴とする排水トラップにおける目皿。
【請求項４】
請求項１，請求項２または請求項３記載の排水トラップにおける目皿において、防水パンに形成した排水口に横引き接続部または縦引き接続部のある排水トラップ本体を固着し、該排水トラップ本体内にトラップ機能をはたす封水カップと、該封水カップに流水用の間隔をあけて嵌挿され、下端開口部で連通する封水筒と、さらに該封水筒に流水用の間隔をあけて嵌挿され、前記封水カップに載置される接続管とを挿脱自在に配備したものからなり、該接続管に接続されるホースジョイントをエルボ接続口を介して着脱自在に装備した排水トラップにおける目皿。
【発明の詳細な説明】
【技術分野】
【０００１】
本発明は、住宅内の洗い場或いはバスルームなど床面或いは防水パンなどの排水口に取り付けられる排水具、特に洗い場に用いられる防水パンなどに用いられる排水トラップの排水に適する目皿に関するものである。
【背景技術】
【０００２】
一般に、洗い場やその他の流し場の汚水、その他の水を扱う場所では、床面或いは防水パンの排水口の上面にネットや格子状キャップなどのごみ取り用の目皿を載置して、排水中からごみや異物を排除して、排水管のごみ詰まりを防止することが行われている。
このごみ取り目皿は、特許文献１に示されるように防水パンの上面に洗濯機を載置させると共に、洗濯機の排水ホースを接続したエルボを防水パンより立ち上げたホースジョイントを配備したもので、目皿の下面には底部に排水口を設けたカップ状ケーシングと排水管および封水筒とからなる排水トラップが形成されている。
【０００３】
【特許文献１】実開昭６３−８１９７５号公開実用新案公報  特許文献１の防水パンにおける目皿では、第１図および第２図に示すようにパン上水導入路１３の上面開口には、水流通用の複数の穴を設けた円盤状または断面漏斗形の格子状キャップ１１が配置され、この格子状キャップ１１はその外面に設けられたねじ溝１１ａを外カップ状ケーシング１の内面上部のねじ溝１ａに螺合して外カップ状ケーシング１に密着固定されるものが開示されている。
【発明の開示】
【発明が解決しようとする課題】
【０００４】
従来では、水流通用の複数の穴を設けたキャップや目皿を排水口に取り外し自在に嵌合して排水口の上面に配置するようにしたものが多用されていて、排水のみを流下して排水口にごみや固形物その他の異物を流入させずに配管ごみ詰まりを防止することができるようになっているが、この従来の住宅などの家屋の洗い場においては、床面或いは防水パンの排水口に備えられる目皿に引っ掛かったり詰まったクズ類や糸屑などのごみを清掃しないと目皿或いは排水トラップの内部にゴミ類が溜まって、このごみ詰まりで水はけが悪くなり排水がスムーズに行かなくなることが多く、不衛生であるため日常的に目皿や排水トラップ内部を清掃したり手入れを行なわなくてはならないが、ごみ等の排除や手入れ作業の際には排水口から目皿を取り除いかなければからない。
しかし、目皿の上には洗濯機排水ホースを接続したエルボ型ホースジョイントがあって取り外しが難しく、このエルボ型ホースジョイント或いは排水ホースを取り除いてからでないと目皿を除去できないため、その清掃取扱作業が厄介であり、また掃除後に行なう組立手順でも目皿を排水口に予めセットしてからエルボ型ホースジョイントや排水ホースを取り付けなくてはならず、しかもエルボに排水ホースを差し込みホースバンドによって固定したり外したりする作業をしなければならないためにその取扱が厄介で、またホースジョイントや排水ホースを先に取り付けると目皿を排水口にセットできなくなるので作業手順を間違わないようにしなければならず組立作業も面倒であった。
特に、防水パン上面に大型洗濯機が載置されている場合には、大型洗濯機の移動が一人では難しく面倒であり、また洗濯機の下面にある排水口から目皿を取り除いて清掃したり、排水トラップの手入れをする日常の作業はさらに難しくなって問題であった。
【０００５】
本発明は、これら従来の不便さを排除しようとするもので、エルボ型ホースジョイント或いは排水ホースを外すことなく排水トラップなどの排水口から目皿を容易に取付け取外すことができて、目皿や排水トラップの清掃や手入れや組み込みを簡便にすることが可能で、排水トラップの排水の水はけも良くして排水がスムーズに行なえ、排水管のごみ詰まりを防止でき、しかも排水具の掃除を楽にして作業性を向上し、洗い場或いは防水パンなどの排水に適し、さらに取付け作業もエルボ型ホースジョイントや排水ホースがセットされていても目皿のシャッタを開閉することで目皿の取り外し組立が簡単にでき、日常時の取扱作業を簡便化して安全に用いられる低コストの排水トラップにおける目皿を提供することを目的としている。
【課題を解決するための手段】
【０００６】
本発明は、排水トラップの排水口に嵌合される目皿受に着脱自在に配備した目皿であって、前記目皿受に嵌合される取付枠を外周に備え、該取付枠の内面に水流通用孔が多数ある多孔性面体を備えると共に、該多孔性面体の中央部に排水ホースを接続する略Ｌ字状等に形成したエルボ型ホースジョイントを差し込むエルボ接続口を形成した目皿において、目皿に形成したエルボ接続口に連通して前記エルボ型ホースジョイント或いは排水ホースを通過しうる開口部を設け、該開口部に合成ゴム弾性体からなり、水流通用孔がある多孔性面体からなるシャッタを開閉自在に配備したことで、排水トラップの排水口に嵌合される目皿が排水ホースを接続したエルボ型ホースジョイントや排水ホースを外すことなく排水トラップから取り外すことができ、目皿や排水トラップの手入れや組み込みを簡便にすることができるほか、排水口への排水もスムーズで水はけがよく排水栓体の水密性を確実に保って容易に排水でき排水管のごみ詰まり防止に寄与する。
【０００７】
この本発明での排水トラップにおける目皿では、前記シャッタがエラストマ等の合成ゴム弾性体からなり、水流通用孔がある多孔性面体に構成され、該シャッタがその一端を自由端とし、他端を熱可塑性合成樹脂からなる前記多孔性面体の開口部の両側縁にそれぞれ一体に成形して対向配備され、シャッタを起伏自在に弾性変形させて前記開口部を開閉する構成としたことにより、シャッタの弾性変形によって排水ホースを接続したエルボ型ホースジョイントや排水ホースから目皿を通過させることができるようにしたことで、目皿の排水口からの取り外し或いは排水口へのセット作業が簡便に行え、排水トラップにおける手入れや、ごみ取り作業の掃除をも容易に行えて目皿の取付け取り外し操作に面倒がなく処理でき作業性を大幅に向上できる。
【０００８】
さらに、本発明の排水トラップにおける目皿においては、前記シャッタが熱可塑性エラストマなどの合成ゴム弾性体からなり、該シャッタを前記目皿の熱可塑性合成樹脂からなる多孔性面体の開口部に一体に成形したことで、目皿や排水トラップの手入れや組み込みを簡便にすることができるほか、目皿の保管や取扱も楽になり低コストの排水トラップにおける目皿とすることができる。
【０００９】
また、本発明では、前記目皿に形成したエルボ接続口に連通して前記エルボ型ホースジョイン或いは排水ホースを通過しうる開口部が、略Ｕ字形の連通口からなっていて前記目皿の多孔性面体に備えられ、目皿の取付枠が外周に凹凸部或いはネジ部からなる嵌合部を備え、前記目皿の取付枠が、外周に凹凸部或いはネジ部からなる嵌合部を備え、該目皿を前記目皿受の嵌合部に着脱自在に嵌合或いはねじ込み装備して目皿受上に載置したことで、目皿の取り外しや組み込みが簡単にでき不潔感も伴うゴミ詰まりの排除も簡単で排水トラップの掃除をも楽にして、洗い場、防水パンなどの排水に適して安全に用いられる。
【００１０】
なお、本発明の排水トラップにおける目皿において、防水パンに形成した排水口に横引き接続部または縦引き接続部のある排水トラップ本体を固着し、該排水トラップ本体内にトラップ機能をはたす封水カップと、該封水カップに流水用の間隔をあけて嵌挿され、下端開口部で連通する封水筒と、さらに該封水筒に流水用の間隔をあけて嵌挿され、前記封水カップに載置される接続管とを挿脱自在に配備したものから構成し、該接続管に接続されるホースジョイントをエルボ接続口を介して着脱自在に装備すれば、排水トラップの取扱処理作業にも面倒がなく目皿の取付け取り外し操作ガ楽に処理できるし、掃除をも容易にして洗い場、防水パンなどでの排水に適し、安全に用いられる。
【発明の効果】
【００１１】
本発明は、排水トラップの排水口に嵌合される目皿受に着脱自在に配備した目皿であって、前記目皿受に嵌合される取付枠を外周に備え、該取付枠の内面に水流通用孔が多数ある多孔性面体を備えると共に、該多孔性面体の中央部に排水ホースを接続する略Ｌ字状等に形成したエルボのあるエルボ型ホースジョイントを差し込むエルボ接続口を形成した目皿において、目皿に形成したエルボ接続口に連通して前記エルボ型ホースジョイント或いは排水ホースを通過しうる開口部を設け、該開口部に合成ゴム弾性体からなり、水流通用孔がある多孔性面体からなるシャッタを開閉自在に配備したことにより、エルボ型ホースジョイント或いは排水ホースを外すことなく排水トラップなどの排水口から目皿を容易に取付け取外すことができるので、目皿や排水トラップの手入れや組み込みを簡便にすることが可能で、排水トラップの排水の水はけも良くして排水もスムーズに行なえ、排水管のごみ詰まりを防止でき、排水具のごみ取り作業の掃除をも頻繁にしなくてもよく、しかも排水トラップの掃除を楽にして作業性を向上し、洗い場或いは防水パンなどの排水に適し、さらに取付け作業もエルボ型ホースジョイントや排水ホースがセットされていても目皿の組立が簡単にでき、日常時の取扱作業を簡便化して安全に用いられる低コストの排水トラップにおける目皿を提供することができる。
【００１２】
また、本発明は、前記シャッタが熱可塑性エラストマなどの合成ゴム弾性体からなり、該シャッタを前記目皿の熱可塑性合成樹脂からなる多孔性面体にある開口部に一体に成形したことにより、シャッタを弾性変形して排水ホースを接続したエルボ型ホースジョイントや排水ホースから目皿を通過させることができるようにしたことで、目皿を排水口から取り外し或いは排水口へのセット作業が簡便に行え、排水トラップにおける手入れや、ごみ取り作業の掃除をも容易に行えて目皿の取付け取り外し操作に面倒がなく取扱処理でき、その清掃作業性を大幅に向上できるほか、目皿の保管や取扱も楽になるなどの効果がある。
【００１３】
さらに本発明は、前記目皿の取付枠が、外周に凹凸部或いはネジ部からなる嵌合部を備え、該目皿を前記目皿受の嵌合部に着脱自在に嵌合或いはねじ込み装備して目皿受上に載置してあり、しかも、防水パンに形成した排水口に横引き接続部または縦引き接続部のある排水トラップ本体を固着し、該排水トラップ本体内にトラップ機能をはたす封水カップと、該封水カップに流水用の間隔をあけて嵌挿され、下端開口部で連通する封水筒と、さらに該封水筒に流水用の間隔をあけて嵌挿され、前記封水カップに載置される接続管とを挿脱自在に配備したものからなり、該接続管に接続されるホースジョイントをエルボ接続口を介して着脱自在に装備したものでは、排水トラップの取扱処理作業にも面倒がなく目皿の取付け取り外し操作が楽に処理できるし、排水口への排水もスムーズで水はけがよく排水トラップの水密性をも確実に保って容易に排水でき排水管のごみ詰まり防止に寄与するし、掃除をも楽にして洗い防水パンなどの排水に適して安全に用いられるし、従来問題があったごみ取りや排水トラップの手入れでの作業をも簡易に行うことができる。
【００１４】
さらに、本発明での目皿では、糸屑などのごみ取り排除を行なわなくてはならない管理維持において、エルボ型ホースジョイント或いは排水ホースを外すことなく簡単に取り除くことができて掃除を楽にして、しかも防水パン上面に大型洗濯機が載置されている場合でも、大型洗濯機を移動することなく、洗濯機の下面にある排水口から目皿を取り除いて清掃したり、排水トラップの手入れをする日常の作業を楽に行え、洗い場、防水パンなどの排水に適して衛生上安全に用いられるし、排水管路流の閉塞現象の発生を有効に抑制することができるなどの効果がある。
【発明を実施するための最良の形態】
【００１５】
以下、本発明の実施の形態を図面を参照して説明する。
この実施の形態における第１実施例の排水具では、図１乃至図４に示すように、排水トラップの排水口Ａに嵌合される目皿受Ｂに着脱自在に配備した円盤状の目皿１であって、前記目皿受Ｂに嵌合される取付枠２を外周に備え、該取付枠２の内面に水流通用孔が多数ある多孔性面体３を備えると共に、該多孔性面体３の中央部に排水ホースＣを接続する略Ｌ字状等に形成したエルボ型ホースジョイントＤを差し込むエルボ接続口４を形成した目皿１において、目皿１に形成したエルボ接続口４に連通して前記エルボ型ホースジョイントＤ或いは排水ホースＣを通過しうる開口部５を設け、該開口部５に合成ゴム弾性体からなり、水流通用孔がある多孔性面体からなるシャッタ６を開閉自在に配備してある。
【００１６】
前記目皿１としては、軽量性、耐熱性に優れたＡＢＳ樹脂、ＰＰ樹脂、アクリル樹脂、不飽和ポリエステル樹脂、ジアリルフタレート樹脂、スチレン系樹脂、ウレタン系樹脂、シリコーン系樹脂、及びその混合物、変形樹脂などの熱可塑性樹脂を用いて、圧縮成形や射出成形、注型成形などの成形装置で成形される。
【００１７】
また、前記目皿１に配備される前記シャッタ６は、図１及び図２に示すように熱可塑性エラストマなどの合成ゴム弾性体からなり、水流通用孔がある平板状の多孔性面体とし、該シャッタ６を一端を自由端とし、他端を前記目皿１の熱可塑性合成樹脂からなる多孔性面体２の開口部５の両側縁に一体に成形したことにより、該シャッタ６を起伏自在に弾性変形して開口部５を開閉させて排水ホースを接続したエルボ型ホースジョイントＤや排水ホースＣから目皿１を通過させることができるようにしたことで、目皿１を排水口Ａからの取り外し作業或いは排水口Ａへのセット作業が簡便に行え、排水トラップにおける手入れや、ごみ取り作業の掃除をも容易に行えて目皿の取付け取り外し操作に面倒がなく処理でき作業性を大幅に向上でき、さらに目皿の保管や取扱も楽になるようにしてある。
この場合、熱可塑性エラストマのシャッタ６としては、水平状態を維持できる硬さと厚みを有していて、外部からの加えられた力に対し弾性変形するようにその一端を自由端とし、他端を目皿１の多孔性面体２に形成した開口部５の両端縁に設けて、該開口部５の水平面を基準面として、変形後に加えられた力がなくなれば水平状態に復元しうる弾性力のある数値のある素材を選ぶのがよい。
【００１８】
例えば、前記目皿１の開閉自在の合成ゴム弾性体からなるシャッタ６としては、ウレタンゴム、アクリルゴム、ブチルゴム、シリコーンゴム、イソプレンゴム、エチレン−プロピレン−ジエン三元共重合体（ＥＰＤＭ）などの合成ゴムや天然ゴムのほか、エラストマ、ポリエステル系若しくはウレタン系の熱可塑性エラストマなどのゴム弾性体（組成物）或いはアクリルポリマー、ポリカーボネートポリマー、スチレンポリマー、あるいはその変形ポリマーなどの熱可塑性樹脂を用いて圧縮成形や射出成形、トランスファー成形等の成形装置によって成形され、前記目皿１の開口部５に一体成形するのが好ましい。
【００１９】
なお、このシャッタ６は目皿１の多孔性面体２の開口部５に備えるのに一体成形に接続するのに代えて、前記開口部５の両端縁に設けた嵌合溝にシャッタ６の他端を嵌挿して接続連結した嵌合構造で一体化することもできるし、他端をヒンジ連結構造にして対向配備することもできる。さらにこのような両開きの一対のシャッタ６に代えて一つのシャッタ６をヒンジ連結構造にして開口部５を開閉する片開きとするのもよい。
【００２０】
さらに前記目皿１の取付枠２としては、外周に凹凸部或いはネジ部からなる嵌合部２１  を備え、該目皿１を前記目皿受Ｂの嵌合部に着脱自在に嵌め込み或いはねじ込み装備できるようにしたもので、円筒状のの目皿受Ｂ上に嵌合載置してあり、しかも防水パンＦに形成した排水口に横引き接続部７１  または縦引き接続部のある排水トラップ本体７を固着し、該排水トラップ本体７内にトラップ機能をはたす封水カップ８と、該封水カップ８に流水用の間隔をあけて嵌挿され、下端開口部９１  で連通する封水筒９と、さらに該封水筒９に流水用の間隔をあけて嵌挿され、前記封水カップ８に載置される接続管１０とを挿脱自在に配備したものからなり、該接続管１０に接続されるホースジョイントＤをエルボ接続口４を介して着脱自在に装備したものでは、排水トラップの取扱処理作業にも面倒がなく目皿の取付け取り外し操作が楽に処理できるし、排水口への排水もスムーズで水はけがよく排水トラップの水密性をも確実に保って容易に排水でき排水管のごみ詰まり防止に寄与するし、掃除をも楽にして洗い防水パンなどの排水に適し、安全に用いられるし、従来問題があったごみ取りや排水トラップの手入れでの作業をも簡易に行うことができる。
【００２１】
なお、前記目皿１としては、図３に示すように防水パンＦ或いは床面の排水口Ａに嵌合され床面上に載置固定されている排水トラップ本体７に嵌合した目皿受Ｂに載置されて用いられるが、排水トラップ付きのベランダや各種キャビネットにも適用できる。
該目皿１は、排水口Ａに嵌合される取付枠２を外周に突出して備え、水平面に水流通用孔が多数ある多孔性面体３を仕切面として有し、該多孔性面体３に形成したエルボ接続口４に連通して前記エルボ型ホースジョインＤ或いは排水ホースＣを通過しうる開口部５が、略Ｕ字形の連通口からなっていて備えられ、この開口部５に合成ゴム弾性体からなり、水流通用孔がある多孔性面体からなるシャッタ６を開閉自在に配備した構成からなっていて、排水口Ａに着脱自在に挿着して排水トラップ本体７の掃除を楽にできるようにするがよく、さらに前記目皿１の底部に下方に突出する脚部或いは別個体で組み合わされるリング台座を備えて前記排水口３の目皿受Ｂ周縁の上に載置できるようにすることもできる。
【００２２】
また、前記防水パンＦは、各部材が耐衝撃性、耐腐性、および耐熱性などに優れたＡＢＳ樹脂などで成形され、排水口Ａを排水トラップ本体７で覆い床面或いは台上に固定されるが、前記排水口Ａは、上面開口で前記排水トラップ本体７を目皿受Ｂを介して嵌着でき、排水トラップを嵌め込みセットしやすく、また取り外し易くしてあって排水トラップ本体７内の清掃、点検が楽にできるようになっている。
【００２３】
さらに、前記目皿１の熱可塑性合成樹脂からなる多孔性面体３に多数ある水流通用孔が、目皿１の回動操作用の摘まみ或いは指掛けその他引っ掛かり部や指入れ孔などの係止部として活用するのがよく、必要に応じて目皿１の嵌合部分の係脱操作用の指当て部として用いて目皿１の取り外し組み込みの取り扱いも簡便で汎用性に富んだものにすることもできる。また開閉操作用把手（図示せず）例えばリング体を起伏自在に目皿１に枢着して取り扱いやすくし、排水時に邪魔にならないように配慮するのも好ましい形態である。
【００２４】
この実施の形態における排水トラップは、図３及び図４に示すように排水トラップ本体７が、防水パンＡ或いは床面Ｂの排水口に嵌合され床面上に載置固定されて用いられる。そして、前記  排水管Ｅに連結される排水トラップ本体７に、トラップ機能をはたす封水カップ８と、該封水カップ８に流水用の間隔をあけて嵌挿され、下端開口部で連通する封水筒９と、さらに該封水筒９に流水用の間隔をあけて嵌挿され、前記封水カップ８に載置される接続管１０とを挿脱自在に備えると共に、該排水トラップ本体７内の接続管１０に、エルボ型ホースジョイントＤが嵌挿され排水ホースＣが接続され、該エルボ型ホースジョイントＤ或いは排水ホースＣの上方から目皿１を挿入すると、エルボ型ホースジョインＤ或いは排水ホースＣを通過しうる開口部５を経て目皿１を挿入すると、合成ゴム弾性体からなるシャッタ６が弾性変形して開口部５を開きエルボ型ホースジョインＤ或いは排水ホースＣを通過して目皿１を目皿受Ｂに嵌着でき、弾性変形したシャッタ６は多孔性面体３に水平状態に戻り排水口Ａを覆い排水もスムーズで水はけがよく処理できる。
さらに、前記目皿１の取り外しの際も目皿受Ｂから目皿１を外して持ち上げて、開口部５を経て目皿１をエルボ型ホースジョインＤ或いは排水ホースＣの上に引き上げればシャッタ６が弾性変形して開口部５を開き簡単に目皿１を取り除くことができ、エルボ型ホースジョイントＤ或いは排水ホースＣを外す必要がなく接続した状態のままで、目皿１並びに排水トラップ本体７内の排水トラップの清掃手入れが簡便にすることができる。
【００２５】
前記排水トラップ本体７は、目皿受Ｂを介して各部が耐衝撃性、耐腐性および耐熱性などに優れたＡＢＳ樹脂等で成形され、排水口Ａを覆い、防水パンＦ或いは床面に圧接固着されるが、前記目皿１は、複数の凹凸状の嵌合部２１  によって目皿受Ｂに嵌合固着できるようにするか、或いは排水トラップ本体７のネジ部によって着脱自在に螺合され圧接保持できるようにすることもできる。
【００２６】
前記封水カップ８としては、前記目皿受Ｂに挿脱自在に嵌挿される有底筒体からなり、底面に流水用の隙間を形成できるリブ片８１  を所定間隔をあけて立設し、かつ筒体上部周側面にオーバーフロー孔の流出スリット８２  を周方向に間隔をおいて複数設けてあり、前記封水カップ８内に流水用の隙間をあけて嵌挿される前記封水筒９は、封水カップ８に嵌挿されるテーパー筒部９２  を有し、前記目皿受Ｂに嵌合されるフランジ９３  を有する中空筒体からなり、該中空筒体の下端開口部９１  内に前記接続管１０の外周に突設した消泡用リブ１１が挿入配備される形態としてある。
【００２７】
前記封水筒９は、軽量性、耐熱性に優れたＡＢＳ樹脂、ＰＰ樹脂などで上部をカップ状の円錐筒形に成形され、その内面上部に補強リブ１２を有し、中央部に接続管１０が備えられ、前記封水カップ８の内周に嵌挿保持されて用いられる。また、前記封水カップ８の底部に凹面部の湾曲部を形成することにより排水の流れに溜まりや衝突をできるだけなくして、より良い排水の流れを形成するように配慮するのがよい。さらに、排水トラップ本体７内には、前記封水カップ８が同心的に配備されるが、各筒体の周囲に形成した水流用の隙間を均等に保って的確な位置決めが行なわれ、トラップ機構として着脱自在に嵌入保持される構成としてある。
【００２８】
また、前記接続管１０は、両端開口で前記ホースジョイントＤに接続される中空筒体であって、下端開口の筒体下端外周に外環板１３を突設し、該外環板１３に所定間隔をあけて筒体外周に前記消泡用リブ１１を設けると共に、前記封水カップ８の内底面に立設される翼状のリブ片８１  上に載置されて前記封水筒３との間に流水用の隙間をあけて配備されている。
【００２９】
前記排水トラップ本体７内では、前記封水カップ８には、貯留水に漬かる筒状の封水筒９のトラップ形成体によりトラップ機能を備えるが、前記ホースジョイントＤを経て接続管１０に入った洗水は、接続管１０の周方向に略全周にわたって広く開いた開放型の下端開口から封水カップ８に導入されるが、流水用隙間を形成するリブ片８１  によって誘導され、さらに封水カップ８の湾曲側壁に沿って上向流で流過して上部の流出スリット８２  からオーバーフローして流出される。一方前記目皿から流入する漏れ水は接続管１０の外周を伝って下端開口から外周を流れる上向流に巻き込み誘引混合されて流出スリット８２  らオーバーフローし流出され、排水トラップ本体７の横引き接続部７１  に連結された排水管Ｅに排出される。
【００３０】
前記ホースジョイントＤの固定用の目皿１としては、中央にホースジョイントＤの嵌合孔のエルボ接続口４を有する円盤状または円筒状のゴミよけ目皿１からなり、旋回操作用の滑り防止の凹凸面を外側に設け、目皿受Ｂ或いは排水トラップ本体７に設けた凸状係合部或いはネジ部を嵌合させるガイド凹溝或いはネジ部を備え、前記排水トラップ本体７に封水カップ８および封水筒９を嵌入したのち、接続管１０に接続したホースジョイントＤの一端開口を連結し、目皿１を装着すれば、前記封水カップ８および封水筒９からなるトラップ形成体を容易に組み入れセットすることができる。
【００３１】
この場合、防水パンＦの排水口Ａは、目皿１で覆われていて、これを取り外せば、接続管１０と封水筒９および封水カップ８とを取り除くことができ、排水管Ｅを高圧洗浄などの清掃も容易に行えるし、排水ホースＣのエルボ型ホースジョイントＤも外すことなく目皿１を挿入して目皿受Ｂに装着して、洗濯機排水ホースＣとの取扱をも容易にすることができる。
また、前記排水ホースＣは、ホース固定バンドによつてホースジョイントＤに嵌挿入状態を維持できるようにするのがよく、排水トラップ本体７、封水カップ８、封水筒９および接続管１０がそれぞれ、ＡＢＳ樹脂、ＰＰ樹脂などの熱可塑性合成樹脂で一体成形されているので、錆びることもなく清潔性も保って用いられ取扱が極めて容易となる。
【００３２】
図１の実施例でも、洗濯機の排水ホースＣを排水トラップに取り付けるのには、防水パンＦ或いは床面に配管される排水管Ｅの管径を確認して、排水トラップ本体７の横引き接続部７１  に排水管Ｅを接続固定する。次いで防水パンＦに排水トラップ本体７を固着し、目皿受Ｂを嵌入配備し、トラップ機能をはたす封水カップ８、封水筒９および接続管１０を排水トラップ本体７内に嵌入保持させる。そして、前記接続管１０にホースジョイントＤを挿入接続して目皿受Ｂにある目皿１を定着し、ホースジョイントＤの他端開口のホース受けパイプに洗濯機の排水ホースＣを挿入接続すれば、排水トラップの施工作業が終了できる。
このような状態で洗濯機の排水ホースＣから洗水が流れてると、この洗水はホースジョイントＤから接続管１０と封水筒９および封水カップ８とを経て流出スリット８２  より排水管Ｅに流出する。なお、この排水管Ｅを経由してくる悪臭は、前記封水筒９および封水カップ８に貯えられた洗水のトラップ作用により、封水カップ８、封水筒９および接続管１０からなるトラップ形成体に流れ込むのを確実に防ぐことができる。
【００３３】
またいずれの例でも、前記目皿受Ｂにある目皿１を取り外すには、目皿受Ｂの嵌合部に嵌め込み或いはねじ込み装備されいてる目皿１を回動して嵌合部から外し、目皿１の開口部５をエルボ型ホースジョイントＤ或いは排水ホースＣの真下に合わせて持ち上げれば、開口部５に備えられたシャッタ６が弾性変形して、開口部５を開きエルボ型ホースジョインＤ或いは排水ホースＣから通過できて目皿１を取り除くことができ、エルボ型ホースジョイントＤ或いは排水ホースＣを外す必要がなく接続した状態のままで、目皿１並びに排水トラップ本体７内の排水トラップの清掃手入れが簡便にすることができる。
さらに前記目皿１の組み込みにもエルボ型ホースジョイントＤ或いは排水ホースＣの真上に開口部５を合わせて目皿１を押し込めば、シャッタ６が弾性変形されて開口部５を開きエルボ型ホースジョイントＤ或いは排水ホースＣを通過して、目皿受Ｂにセットすることができる。そして、防水パンＦ上での水洗いをしても楽に排水でき排水中のごみ類が排水管に流れ込むのを確実に抑制防止され、排水流れの効率も良好に維持して用いられ、安心して防水パンの排水に用いられる。
【図面の簡単な説明】
【００３４】
【図１】本発明に係る第１実施例の排水トラップにおける目皿を示し、（ａ）はその平面図、（ｂ）はその側面図、（ｃ）はＸ−Ｘ線における縦断面図である。
【図２】図１の例の排水トラップにおける目皿の背面状態を示し、（ａ）はその底面図、（ｂ）はＹ−Ｙ線における縦断面図、（ｃ）はＺ−Ｚ線における縦断面図である。
【図３】図１の例の排水トラップに用いた使用状態を示す縦断面図である。
【図４】図３の例の排水トラップを示し、（ａ）はその平面図、（ｂ）はその側面図である。
【符号の説明】
【００３５】
Ａ    排水口
Ｂ    目皿受
Ｃ    排水ホース
Ｄ    エルボ型ホースジョイント
Ｅ    排水管
Ｆ    防水パン
１    目皿
２    取付枠
２１    嵌合部
３    多孔性面体
４    エルボ接続口
５    開口部
６    シャッタ
７    排水トラップ本体
７１    横引き接続部
７    環状枠
８    封水カップ
８１    リブ片
８２    流出スリット
９    封水筒
９１    下端開口部９１  テーパー筒部
９２    テーパー筒部フランジ
９３    フランジ
１０    接続管
１１    消泡用リブ
１２    補助リブ
１３    外環板
【図１】
2008240239.tif 000003
【図２】
2008240239.tif 000004
【図３】
2008240239.tif 000005
【図４】
2008240239.tif 000006